(57)【要約】【課題】複雑な機構を必要とせず、信号制御機への外部給電の作業性を高めることが可能な外部給電ユニットおよび信号制御機を提供すること。【解決手段】外部給電ユニット２００は、端子部２２０と、第１の電力供給経路２７０と、第２の電力供給経路２８０と、手動切替スイッチ２３０と、支持体２６０とを具備する。端子部２２０は、外部電源供給用の端子部である。第１の電力供給経路２７０は、商用電源Ｓに接続可能である。第２の電力供給経路２８０は、端子部２２０に接続されている。手動切替スイッチ２３０は、第１の電力供給経路２７０および第２の電力供給経路２８０のいずれか一方を交通信号用の信号制御機１００の制御ユニット１２０に接続する。支持体２６０は、信号制御機１００に取り付け可能に構成され、端子部２２０および手動切替スイッチ２３０を支持する。【選択図】図４
2015122024.tif 000002
【特許請求の範囲】
【請求項１】
外部電源供給用の端子部と、
商用電源に接続可能な第１の電力供給経路と、
前記端子部に接続された第２の電力供給経路と、
前記第１の電力供給経路および前記第２の電力供給経路のいずれか一方を交通信号用の信号制御機に接続する手動切替スイッチと、
前記信号制御機に取り付け可能に構成され、前記端子部および前記手動切替スイッチを支持する支持体と
を具備する外部給電ユニット。
【請求項２】
請求項１に記載の外部給電ユニットであって、
前記端子部は、規格化された端子部である
外部給電ユニット。
【請求項３】
請求項１または２に記載の外部給電ユニットであって、
前記端子部は、複数設けられている
外部給電ユニット。
【請求項４】
請求項１から３のうちいずれか１項に記載の外部給電ユニットであって、
前記支持体は、前記第１の電力供給経路および前記第２の電力供給経路を内蔵する箱体である
外部給電ユニット。
【請求項５】
請求項１から４のうちいずれか１項に記載の外部給電ユニットであって、
前記第１の電力供給経路に接続された第１のランプ
をさらに具備する外部給電ユニット。
【請求項６】
請求項５に記載の外部給電ユニットであって、
前記第２の電力供給経路に接続された第２のランプ
をさらに具備する外部給電ユニット。
【請求項７】
請求項６に記載の外部給電ユニットであって、
前記手動切替スイッチは、前記第１の電力供給経路を前記信号制御機に接続する第１の切替位置と、前記第２の電力供給経路を前記信号制御機に接続する第２の切替位置との間で切り替え可能であり、
前記第１のランプおよび前記第２のランプは、前記第１の切替位置および前記第２の切替位置の配列に沿って配置されている
外部給電ユニット。
【請求項８】
外部電源供給用の端子部と、
商用電源に接続可能な第１の電力供給経路と、
前記端子部に接続された第２の電力供給経路と、
前記第１の電力供給経路および前記第２の電力供給経路のいずれか一方から供給される電力で駆動し、交通信号機の信号灯を制御する制御ユニットと、
前記第１の電力供給経路および前記第２の電力供給経路のいずれか一方を前記制御ユニットに接続する手動切替スイッチと、
前記端子部、前記手動切替スイッチおよび前記制御ユニットを収容する筐体と
を具備する信号制御機。
【請求項９】
請求項８に記載の信号制御機であって、
前記筐体に収容されて前記第１の電力供給経路に接続され、前記端子部および前記手動切替スイッチを支持するブレーカユニット
をさらに具備する信号制御機。
【発明の詳細な説明】
【技術分野】
【０００１】
本発明は、交通用の信号機を制御する信号制御機、およびこの信号制御機に外部から給電可能な外部給電ユニットに関する。
【背景技術】
【０００２】
通常、道路の交差点などに設置される交通用の信号機には、商用電源が供給される。地震などの災害による停電が発生すると、信号機が滅灯して交通に混乱をきたすおそれがある。このような事態を避けるため、幹線道路や主要な交差点には、停電時に自動的に始動して信号機への送電を開始する発動発電機が設置されていることがある。
【０００３】
また、停電時に電磁スイッチによって商用電源と制御装置との接続を遮断し、車両のバッテリーを接続して信号機を作動するためのバッテリー経路と制御装置とを接続する電源切替機構を有する信号システムが提案されている（例えば、特許文献１の明細書段落［００１７］参照。）。
【先行技術文献】
【特許文献】
【０００４】
【特許文献１】特開２０１２−２３８１４０号公報
【発明の概要】
【発明が解決しようとする課題】
【０００５】
発動発電機が設置されていない交差点では、例えば、信号機に、信号機と商用電源の配電線との切り替え部分である電源箱が設けられ、この電源箱に外部電源接続端子が内蔵されている場合がある。この場合、停電時には、信号機の場所に可搬式の発動発電機を搬送し、信号機の外部電源接続端子に接続することで、給電を行うことがある。
【０００６】
しかし、電源箱は、電源箱からの電力の供給を受けて信号機を作動させる信号制御機とは別体で設けられている。また、電源箱は、安全性の観点から、信号制御機より高い位置に設置されていることが多い。このため、外部給電を行う際の作業性が悪いという問題がある。
【０００７】
一方、特許文献１に開示された信号システムの電源切替機構は、電磁スイッチを用いたものであるため、部品点数が多く、機構が複雑である。これにより、故障しやすいという問題、また、高コストとなるという問題がある。
【０００８】
以上のような事情に鑑み、本発明の目的は、複雑な機構を必要とせず、信号制御機への外部給電の作業性を高めることが可能な外部給電ユニットおよび信号制御機を提供することにある。
【課題を解決するための手段】
【０００９】
上記目的を達成するため、本発明の一形態に係る外部給電ユニットは、端子部と、第１の電力供給経路と、第２の電力供給経路と、手動切替スイッチと、支持体とを具備する。
前記端子部は、外部電源供給用の端子部である。
前記第１の電力供給経路は、商用電源に接続可能である。
前記第２の電力供給経路は、前記端子部に接続されている。
前記手動切替スイッチは、前記第１の電力供給経路および前記第２の電力供給経路のいずれか一方を交通信号用の信号制御機に接続する。
前記支持体は、前記信号制御機に取り付け可能に構成され、前記端子部および前記手動切替スイッチを支持する。
【００１０】
外部電源に接続可能な端子部が電源箱に設けられるのではなく、端子部を備える外部給電ユニットが信号制御機に取り付け可能に設けられることにより、利用者は、端子部に外部電源を接続することが容易になり、外部給電の作業性を高めることができる。また、利用者の手動操作により電源が切り替えられる手動切替スイッチを用いるため、電磁スイッチのような複雑な機構が不要となる。
【００１１】
前記端子部は、規格化された端子部であってもよい。
規格化された端子部であれば、例えば、外部給電機能を有する市販の装置や汎用のソケットまたはプラグを接続することができる。これにより、信号制御機への外部給電に利用できる装置の選択肢が増える。
【００１２】
前記端子部は、複数設けられていてもよい。
これにより、外部給電ユニットに複数の外部電源を接続することが可能となり、信号制御機に複数の外部電源からの外部給電を行うことができる。
【００１３】
前記支持体は、前記第１の電力供給経路および前記第２の電力供給経路を内蔵する箱体であってもよい。
支持体を箱体とし、第１および第２の電力供給経路を箱体内に収容することによって、外部給電ユニットをパッケージング化し、既設の信号制御機への設置が容易な１個のユニットとして提供することができる。
【００１４】
前記外部給電ユニットは、前記第１の電力供給経路に接続された第１のランプをさらに具備してもよい。
これにより、利用者は商用電源の復帰を確認したうえで、信号制御機に供給する電源を商用電源に切り替えることができる。
【００１５】
前記外部給電ユニットは、前記第２の電力供給経路に接続された第２のランプをさらに具備してもよい。
これにより、利用者は端子部に接続した外部電源からの給電の状態を確認することができる。
【００１６】
前記手動切替スイッチは、前記第１の電力供給経路を前記信号制御機に接続する第１の切替位置と、前記第２の電力供給経路を前記信号制御機に接続する第２の切替位置との間で切り替え可能であってもよい。また、前記第１のランプおよび前記第２のランプは、前記第１の切替位置および前記第２の切替位置の配列に沿って配置されていてもよい。
【００１７】
これにより、接続先の電源を利用できるか否かが視覚的にわかりやすくなるため、誤操作を抑制できる。
【００１８】
本発明の一形態に係る信号制御機は、端子部と、第１の電力供給経路と、第２の電力供給経路と、制御ユニットと、手動切替スイッチと、筐体とを具備する。
前記端子部は、外部電源供給用の端子部である。
前記第１の電力供給経路は、商用電源に接続可能である。
前記第２の電力供給経路は、前記端子部に接続されている。
前記制御ユニットは、前記第１の電力供給経路および前記第２の電力供給経路のいずれか一方から供給される電力で駆動し、交通信号機の信号灯を制御する。
前記手動切替スイッチは、前記第１の電力供給経路および前記第２の電力供給経路のいずれか一方を前記制御ユニットに接続する。
前記筐体は、前記端子部、前記手動切替スイッチおよび前記制御ユニットを収容する。
【００１９】
外部電源に接続可能な端子部が、電源箱に設けられるのではなく、信号制御機に設けられることにより、利用者は、端子部に外部電源を接続することが容易になり、外部給電の作業性を高めることができる。また、利用者の手動操作により電源が切り替えられる手動切替スイッチを用いるため、電磁スイッチのような複雑な機構が不要となる。
【００２０】
前記信号制御機は、ブレーカユニットをさらに具備してもよい。
前記ブレーカユニットは、前記筐体に収容され、前記端子部および前記手動切替スイッチを支持する。
ブレーカユニットに支持される端子部および手動切替スイッチを配置することにより、信号制御機の筐体内における省スペース化を実現することができる。
【発明の効果】
【００２１】
以上、本発明によれば、複雑な機構を必要とせず、信号制御機への外部給電の作業性を高めることが可能な外部給電ユニットおよび信号制御機を提供することができる。
【図面の簡単な説明】
【００２２】
【図１】図１は、信号機の構成を示す正面図である。
【図２】図２は、本発明の第１の実施形態に係る外部給電ユニットを有する信号制御機の構成を示す斜視図である。
【図３】図３は、図２に示す外部給電ユニットの構成を示す斜視図である。
【図４】図４は、図２に示す外部給電ユニットおよび信号制御機の構成を説明するブロック図である。
【図５】図５は、本発明の第２の実施形態に係る信号制御機の構成を示す斜視図である。
【図６】図６は、図５に示す信号制御機のブレーカユニットの構成を示す正面図である。
【発明を実施するための形態】
【００２３】
以下、図面を参照しながら、本発明の実施形態を説明する。
【００２４】
［第１の実施形態］
【００２５】
図１は、本発明の第１の実施形態に係る外部給電ユニットが導入される交通用の信号機１を示す図である。信号機１は、例えば車両用および歩行者用の信号灯２と、これらの信号灯２を制御する信号制御機１００を備える。信号灯２および信号制御機１００は支柱３に取り付けられ、これらは電気ケーブルを介して接続される。
【００２６】
信号機１は交差点脇に複数設置されることがほとんどである。信号制御機１００は、交差点毎に１つまたは複数設置される。信号制御機１００は、人の手の届く高さ範囲、例えば１〜１．５ｍの高さ位置で支柱３に取り付けられる。
【００２７】
図２は、信号制御機１００の構成を示す斜視図である。
【００２８】
図２に示すように、信号制御機１００は、筐体１０１、制御ユニット１２０、手動操作ユニット１３０、ブレーカユニット１４０、および外部給電ユニット２００を備える。
【００２９】
筐体１０１は、前面の開口を有する本体１０２と、その本体１０２に開閉可能に設けられた主扉１０３とを備える。また、主扉１０３の所定位置には開口部１０３Ａが設けられ、図示しない副扉がその開口部１０３Ａを開閉可能に主扉１０３の表側（図２の紙面奥側）に接続されている。主扉１０３は、ヒンジ１０４により開閉可能に本体１０２に接続され、同様に、副扉もヒンジにより開閉可能に主扉１０３に接続されている。主扉１０３には施錠部１０５が設けられ、主扉１０３は本体１０２に対して施錠可能となっている。
【００３０】
制御ユニット１２０は、例えば、本体１０２内の上部に収容され、基本的に、１つ以上の信号灯２における点灯および点滅の時間を制御する。制御ユニット１２０は、前面に操作パネル１２１を有し、利用者（例えば警察関係者等）は、例えばこの操作パネル１２１を操作することにより、上記点灯時間や点灯順序を設定し、およびそれらを変更することができる。制御ユニット１２０は、上記基本機能の他、点灯輝度の調整機能や、交通管制センターのコンピュータと通信可能な通信機能を備える場合もある。
【００３１】
手動操作ユニット１３０は、主扉１０３の開口部１０３Ａに臨むように主扉１０３の内側に設けられている。具体的には、手動操作ユニット１３０は、開口部１０３Ａを主扉１０３の内側から塞ぐように設けられた支持板１３１に支持され、支持板１３１と副扉との間に収容されている。
【００３２】
手動操作ユニット１３０は、制御ユニット１２０が行う信号灯２の点灯の制御を手動制御に切り替え、利用者の手動操作の入力を受け付けて信号灯２の点灯を制御する機能を有する。例えば災害時に停電が発生した場合、利用者が副扉を開けて、開口部１０３Ａ内の手動操作ユニット１３０の操作ボタンを操作することにより、信号灯２の点灯を手動で切り替えることができる。
【００３３】
ブレーカユニット１４０は、本体１０２内に収容され、例えば制御ユニット１２０の下部に配置されている。図４は、外部給電ユニット２００および信号制御機１００の構成を説明するブロック図である。ブレーカユニット１４０は、商用電源Ｃ（からの電力供給ケーブル）と、第１の電力供給経路２７０との間に接続される。ブレーカユニット１４０は、商用電源Ｃから信号制御機１００への電力供給経路を開閉したり、その電力供給経路に流れる電流が規定値を超えた場合には、電力供給を遮断したりする。
【００３４】
図４に示すように、信号制御機１００はさらに、電源ユニット１５０を有する。電源ユニット１５０は、商用電源Ｃまたは図示しない外部電源からの交流電力を直流電力に変換し、制御ユニット１２０に直流電力を供給する。
【００３５】
これにより、制御ユニット１２０は、第１の電力供給経路２７０および第２の電力供給経路２８０のいずれか一方から電源ユニット１５０を介して供給される直流電力で駆動し、信号機１の信号灯２を制御する。
【００３６】
図３は、外部給電ユニット２００の構成を示す斜視図である。外部給電ユニット２００は、外部給電端子部２２０、手動切替スイッチ２３０、商用電源ランプ２４０（第１のランプ）、外部電源ランプ２５０（第２のランプ）、およびこれらを支持する支持体２６０を備える。
【００３７】
外部給電端子部２２０は、例えば災害時等の緊急時に外部電源に接続可能な外部電源供給用の端子部である。外部給電端子部２２０としては、規格化されたものが搭載され、例えば広く一般家庭にまで普及している電化製品用の端子部が搭載される。具体的な規格として、ＪＩＳ（Japanese Industrial Standards）では、C 8303などであり、ＩＥＣ（International Electrotechnical Commission）では、60884などである。このように規格化された外部給電端子部２２０であれば、外部給電機能を有する市販の装置や汎用のプラグまたはソケットを外部給電端子部２２０に接続することができる。これにより、信号制御機１００への外部給電に利用できる装置の選択肢が増える。
【００３８】
図４に示すように、外部給電ユニット２００は、ブレーカユニット１４０を介して商用電源Ｃに接続可能である第１の電力供給経路２７０を備えている。また、外部給電ユニット２００は、外部給電端子部２２０に接続された第２の電力供給経路２８０を備えている。支持体２６０は、例えば板金を組み合わせた箱体で構成される。第１の電力供給経路２７０および第２の電力供給経路２８０は、具体的には支持体２６０に内蔵される電気ケーブルで構成される。
【００３９】
図３に示すように、外部給電ユニット２００は、電気ケーブル類を接続可能とした複数の端子台２１０を備えている。
【００４０】
手動切替スイッチ２３０は、手動操作による切り替えが可能なスイッチであり、具体的には、操作レバーを二つの切替位置（例えば図３では上下）のうちいずれか一方に動かされることによって配線の接続経路を切り替えるトグルスイッチである。この手動切替スイッチ２３０の各接点に、上記第１の電力供給経路２７０および第２の電力供給経路２８０がそれぞれ接続されている。手動切替スイッチ２３０により、これらの経路のうち一方が選択され、その電力は、電源ユニット１５０を介して制御ユニット１２０に供給される。
【００４１】
図４に示すように、手動切替スイッチ２３０が切り替えられる切替位置のうちの一方は、第１の電力供給経路２７０を信号制御機１００の電源ユニット１５０に接続する第１の切替位置Ｐ１であり、図３では操作レバーを下方向に操作したときの位置である。切替位置のうちの他方は、第２の電力供給経路２８０を電源ユニット１５０に接続する第２の切替位置Ｐ２であり、図３では操作レバーを上方向に操作したときの位置である。
【００４２】
商用電源ランプ２４０および外部電源ランプ２５０は、例えば、手動切替スイッチ２３０の近傍にそれぞれ配置される。各ランプ２４０、２５０は、例えば、ＬＥＤ（Light Emitting Diode）、全波整流器、平滑コンデンサ、抵抗等を含むデバイスである。
【００４３】
図４に示すように、商用電源ランプ２４０は、第１の電力供給経路２７０に接続されている。商用電源ランプ２４０は、手動切替スイッチ２３０の切り替え位置に関わらず、商用電源Ｃから電力が供給されているときに点灯する。
【００４４】
外部電源ランプ２５０は、第２の電力供給経路２８０に接続されている。外部電源ランプ２５０は、手動切替スイッチ２３０の切り替え位置に関わらず、外部電源から電力が供給されているときに点灯する。
【００４５】
なお、図３に示すように、手動切替スイッチ２３０の切替位置に対応して「商用電源」、「外部電源」とそれぞれ記載された銘板２３１、２３２が、この外部給電ユニット２００の支持体２６０に取り付けられている。また、その手動切替スイッチ２３０の切替位置Ｐ１およびＰ２の配列に沿って、商用電源ランプ２４０、外部電源ランプ２５０が配置され、それらを記載した銘板２４１、２５１が支持体２６０に取り付けられている。
【００４６】
外部給電ユニット２００の支持体２６０は、信号制御機１００に取り付け可能に構成されている。例えば、支持体２６０を形成している板金から延在するネジ止め部２６１等におけるネジ止めにより、外部給電ユニット２００は、信号制御機１００に取り付け可能である。
【００４７】
また、これにより、同様に、外部給電ユニット２００を既設の信号制御機に取り付けることも可能である。
【００４８】
例えば、図２に示すように、外部給電ユニット２００は、信号制御機１００の本体１０２内に収容され、例えば本体１０２の縦方向（高さ方向）において中央より下部に配置されている。
【００４９】
なお、外部給電ユニット２００を信号制御機１００に取り付ける前に、支持体２６０に、手動切替スイッチ２３０が配置された位置の前方および側方を囲う保護カバー２６２を取り付けてもよい（図２参照）。保護カバー２６２は、手動切替スイッチ２３０の２つの切替位置Ｐ１、Ｐ２の配列方向（例えば上下方向）に開口しており、この開口から利用者が手を入れて手動切替スイッチ２３０の操作ができるようになっている。これにより、手動切替スイッチ２３０を保護し、接触などによる誤操作を防ぐことができる。
【００５０】
以上のように構成された外部給電ユニット２００を有する信号制御機１００の使用方法を説明する。例えば、災害時に停電が発生した場合、利用者は、主扉１０３を開け、手動切替スイッチ２３０を第２の電力供給経路２８０に接続する（図４の第２の切替位置Ｐ２）。そして、図示しない外部電源を、外部給電端子部２２０に接続することにより、信号制御機１００は、外部電源からの電力の供給を受けることができる。
【００５１】
外部電源から電力が供給されているときに外部電源ランプ２５０が点灯する。これにより、利用者は外部給電端子部２２０に接続した外部電源からの給電の状態を確認することができる。すなわち、外部電源ランプ２５０が点灯していれば、外部電源による電力供給があることを確認できる。
【００５２】
なお、外部電源を外部給電端子部２２０に接続した後、手動切替スイッチ２３０を第２の電力供給経路２８０に接続するようにしてもよい。
【００５３】
外部電源としては、典型的には、警察車両に搭載されたバッテリーや発電機であり、例えば給電可能型の電気自動車またはハイブリッド自動車に搭載されたバッテリー等である。もちろん、外部電源は車両に搭載される機器に限られないことは言うまでもない。
【００５４】
外部電源から電力が供給され、外部電源ランプ２５０が点灯している場合であっても、停電から復帰した場合には、商用電源ランプ２４０が点灯する。これにより、利用者は、商用電源からの電力が供給可能であることを簡単に確認することができる。そうすれば、利用者は、その時点で手動切替スイッチ２３０を第１の電力供給経路２７０への接続に戻し（図４の第１の切替位置Ｐ１）、商用電源を使用することができる。
【００５５】
ここで、商用電源ランプ２４０および外部電源ランプ２５０の位置は、手動切替スイッチ２３０の各切替位置Ｐ１およびＰ２に対応しているため、接続先の電源を利用できるか否かが視覚的にわかりやすくなっている。例えば、上記のように停電から復帰して商用電源ランプ２４０が点灯した場合、手動切替スイッチ２３０を、これらのランプの配列方向における商用電源ランプ２４０側に対応する方向に切り替えることで、第１の電力供給経路２７０に接続し、商用電源を使用することができる。これにより、手動切替スイッチ２３０の切り替え先の判断を容易にし、誤操作を抑制することができる。
【００５６】
図４に示すように、外部給電時に、商用電源と電源ユニット１５０とを確実に遮断することができるため、停電から復帰した場合であっても、商用電源から電源ユニット１５０を介して、外部電源に電流が逆流することはない。
【００５７】
以上のように、本実施形態では、外部電源に接続可能な端子部が、従来のように電源箱に設けられるのではなく、外部給電端子部２２０を備える外部給電ユニット２００が信号制御機１００に取り付け可能に設けられるので、外部給電の作業性を高めることができる。すなわち、一般的に支柱の高い位置に設置されている電源箱に、外部給電用のケーブルを接続する必要がなく、信号制御機１００の筐体１０１内の外部給電端子部２２０に外部電源を接続すればよいので、作業性が向上し、迅速な対応が可能となる。
【００５８】
従来の電源箱は、地方自治体ごとに異なる特殊なコネクタを備え、利用者はそのコネクタに合う専用ケーブルを使用していたので、不便であった。これに対し本実施形態に係る外部給電ユニット２００を有する信号制御機１００は、規格化された外部給電端子部２２０を備えるので、上述したように外部給電に利用できる装置の選択肢が増える。
【００５９】
この外部給電ユニット２００は、利用者の手動操作により電源が切り替えられる手動切替スイッチ２３０を用いるため、電磁スイッチのような複雑な機構が不要となる。このような外部給電ユニット２００の簡易な構成により、取り扱い容易で故障しにくいユニットとして実現することができる。
【００６０】
特に、支持体２６０は箱体であるので、その箱体内に第１の電力供給経路２７０および第２の電力供給経路２８０の電気ケーブルを収容することができる。これにより、外部給電ユニット２００をパッケージング化し、既設の信号制御機への設置が容易な１個のユニットとして提供することができる。
【００６１】
また、上述したように、外部給電ユニット２００は、既設の信号制御機に取り付け可能である。したがって、信号制御機そのものを交換する必要はなく、簡易かつ安価に外部給電ユニット２００を信号制御機に導入可能である。
【００６２】
［第２の実施形態］
【００６３】
次に、本発明の第２の実施形態を説明する。これ以降の説明では、上記第１の実施形態に係る信号制御機１００が含む部材や機能等について同様のものは説明を簡略化または省略し、異なる点を中心に説明する。
【００６４】
図５は、第２の実施形態に係る信号制御機の構成を示す斜視図である。図６は、信号制御機３００が備えるブレーカユニットを示す正面図である。上記第１の実施形態では、外部給電ユニット２００と、ブレーカユニット１４０とが別体として構成されたが、本実施形態に係るブレーカユニット４００は、これらを一体的に構成したものである。
【００６５】
すなわち、ブレーカユニット４００は、外部給電端子部２２０、手動切替スイッチ２３０を有し、また、これらを一体的に支持する支持体４１０を有する。支持体は４１０は、正面で見てＬ字状を有しているが、このような形状に限られない。支持板４１０は、典型的には板金の組み合わせや、板金の折り曲げ加工により形成されている。図５に示すように、支持板４１０は、ネジ止めなどによって本体１０２内に取り付けられている。
【００６６】
また、例えばブレーカユニット４００の下部には、リミッタ４２０が設けらている。
【００６７】
図６に示すように、支持板４１０には、上記第１の実施形態と同様の機能を有する商用電源ランプ２４０および外部電源ランプ２５０が設けられている。商用電源ランプ２４０および外部電源ランプ２５０は、リミッタ４２０に設けられた端子台４２５と、外部給電端子部２２０の配列方向（例えば斜め方向）に沿って、それぞれ配置されている。このように、商用電源ランプ２４０および外部電源ランプ２５０の位置が、ブレーカユニット４００における商用電源との接続端子、外部電源との接続端子（外部給電端子部２２０）の位置と一致することにより、それら端子の配置および各電源の使用状態が視覚的にわかりやすくなる。
【００６８】
本実施形態では、上記第１の実施形態と同様に、外部給電端子部２２０が、従来のように電源箱に設けられるのではなく、信号制御機３００の筐体１０１内に設けられているので、外部給電の作業性を高めることができる。
【００６９】
本実施形態では、ブレーカユニット４００の本体である支持板４１０に、外部給電端子部２２０および手動切替スイッチ２３０を配置しているので、信号制御機３００の筐体１０１内における省スペース化を実現することができる。
【００７０】
本実施形態のように、手動切替スイッチ２３０を用いることにより、複雑な機構を必要としないため、これらの外部給電端子部２２０および手動切替スイッチ２３０を、比較的簡易にブレーカユニット４００に一体的に設けることが可能である。また、ブレーカユニット４００に代えて、信号制御機の筐体内の他のユニットに支持させて設けることも可能である。
【００７１】
［その他の実施形態］
【００７２】
本発明は、以上説明した実施形態に限定されず、他の種々の実施形態を実現することができる。
【００７３】
外部給電端子部２２０は、複数設けられていてもよい。これにより、信号制御機に複数の外部電源を接続することが可能となり、信号制御機に複数の外部電源からの外部給電を行うことができる。
【００７４】
上記各実施形態に係る信号制御機は、商用電源ランプ２４０および外部電源ランプ２５０を備えていたが、これらのランプを備えていなくてもよい。また、これらのランプのうち、商用電源ランプ２４０のみを備えていてもよく、その場合にも、商用電源からの電力が供給可能であることを簡単に確認することができるという利点がある。
【００７５】
また、上記各実施形態に係る信号制御機は、手動操作ユニット１３０を備えていたが、これを備えていなくてもよい。
【００７６】
上記各実施形態では、手動切替スイッチ２３０は、例えばトグルスイッチで構成されたが、これに限られず、タクトスイッチ、ディップスイッチ、またはその他の公知のスイッチであってもよい。
【００７７】
以上説明した各形態の特徴部分のうち、少なくとも２つの特徴部分を組み合わせることも可能である。
【符号の説明】
【００７８】
２…信号灯
１００、３００…信号制御機
１０１…筐体
１２０…制御ユニット
１４０、４００…ブレーカユニット
２００…外部給電ユニット
２２０…外部給電端子部
２３０…手動切替スイッチ
２４０…商用電源ランプ
２５０…外部電源ランプ
２６０…支持体
２７０…第１の電力供給経路
２８０…第２の電力供給経路
Ｃ…商用電源
Ｐ１…第１の切替位置
Ｐ２…第２の切替位置
【図１】
2015122024.tif 000003
【図２】
2015122024.tif 000004
【図３】
2015122024.tif 000005
【図４】
2015122024.tif 000006
【図５】
2015122024.tif 000007
【図６】
2015122024.tif 000008